(57)【特許請求の範囲】
【請求項１】
画像を表示する表示部と、
各母音毎に設けられた母音画像と、各子音毎に設けられた子音画像とを記憶する画像記憶部と、
前記表示部の表示画面上における操作者による接触を検知する接触検知部と、
前記母音画像を母音別に前記表示部に表示させ、当該母音画像の表示領域における接触が前記接触検知部によって検知されたとき、表示中の母音画像を他の母音画像に順次切り換えて表示する切換表示を行う母音表示制御部と、
前記子音画像を子音別に前記表示部に表示させ、当該子音画像の表示領域における接触が前記接触検知部によって検知されたとき、表示中の子音画像を他の子音画像に順次切り換えて表示する切換表示を行う子音表示制御部と、
前記母音表示制御部によって前記表示部に表示されている前記母音画像に対応する母音と、前記子音表示制御部によって前記表示部に表示されている前記子音画像に対応する子音とを指定する指示の入力を操作者から受け付ける指定受付部と、
前記指示受付部によって入力が受け付けられた母音及び子音により構成される仮名文字の入力を受け付ける文字入力受付部と、
前記文字入力受付部に入力が受け付けられた前記仮名文字を入力受付順に前記表示部に表示する受付文字表示制御部と、
前記受付文字表示制御部が前記表示部に表示する前記仮名文字のうち、編集の対象とする仮名文字を指定する指示を操作者から受け付ける編集文字受付部とを備え、
前記母音表示制御部は、前記編集文字受付部により指定が受け付けられた仮名文字を構成する母音を示す母音画像を前記表示部に表示させて前記切換表示を行い、
前記子音表示制御部は、前記編集文字受付部により指定が受け付けられた仮名文字を構成する子音を示す子音画像を前記表示部に表示させて前記切換表示を行い、
前記指定受付部は、前記母音表示制御部によって表示される前記母音画像に対応する母音と、前記子音表示制御部によって表示される前記子音画像に対応する子音とを指定する指示を操作者から受け付け、
前記文字入力受付部は、前記指示受付部によって受け付けられた母音及び子音により構成される仮名文字の入力を受け付ける文字入力装置。
【請求項２】
画像を表示する表示部と、
各母音毎に設けられた母音画像と、各子音毎に設けられた子音画像とを記憶する画像記憶部と、
前記表示部の表示画面上における操作者による接触を検知する接触検知部と、
前記母音画像を母音別に前記表示部に表示させ、当該母音画像の表示領域における接触が前記接触検知部によって検知されたとき、表示中の母音画像を他の母音画像に順次切り換えて表示する切換表示を行う母音表示制御部と、
前記子音画像を子音別に前記表示部に表示させ、当該子音画像の表示領域における接触が前記接触検知部によって検知されたとき、表示中の子音画像を他の子音画像に順次切り換えて表示する切換表示を行う子音表示制御部と、
前記母音表示制御部によって前記表示部に表示されている前記母音画像に対応する母音と、前記子音表示制御部によって前記表示部に表示されている前記子音画像に対応する子音とを指定する指示の入力を操作者から受け付ける指定受付部と、
前記指示受付部によって入力が受け付けられた母音及び子音により構成される仮名文字の入力を受け付ける文字入力受付部と、
前記文字入力受付部によって入力が受け付けられた前記仮名文字を編集する編集指示を操作者から受け付ける編集受付部とを備え、
前記母音表示制御部は、前記編集受付部により前記編集指示が受け付けられた場合、前記入力が受け付けられた各仮名文字を構成する母音に対応する母音画像を予め定められた文字数分ずつ前記表示部に順次切り換えて表示させて前記切換表示を行い、
前記子音表示制御部は、前記母音表示制御部により表示される前記母音画像の示す母音が属する前記仮名文字を構成する子音に対応する子音画像を前記表示部に表示させて前記切換表示を行い、
前記指定受付部は、前記母音表示制御部によって表示される前記母音画像が示す母音と、前記子音表示制御部によって表示される前記子音画像が示す子音とを指定する指示を操作者から受け付け、
前記文字入力受付部は、前記指示受付部によって受け付けられた母音及び子音により構成される仮名文字の入力を受け付ける文字入力装置。
【請求項３】
コンピューターを、
各母音毎に設けられた母音画像と、各子音毎に設けられた子音画像とを記憶する画像記憶部と、 
前記コンピューターが備える表示部の表示画面上における操作者による接触を検知する接触検知部と、
前記母音画像を母音別に前記表示部に表示させ、当該母音画像の表示領域における接触が前記接触検知部によって検知されたとき、表示中の母音画像を他の母音画像に順次切り換えて表示する切換表示を行う母音表示制御部と、
前記子音画像を子音別に前記表示部に表示させ、当該子音画像の表示領域における接触が前記接触検知部によって検知されたとき、表示中の子音画像を他の子音画像に順次切り換えて表示する切換表示を行う子音表示制御部と、
前記母音表示制御部によって前記表示部に表示されている前記母音画像に対応する母音と、前記子音表示制御部によって前記表示部に表示されている前記子音画像に対応する子音とを指定する指示の入力を操作者から受け付ける指定受付部と、
前記指示受付部によって入力が受け付けられた母音及び子音により構成される仮名文字の入力を受け付ける文字入力受付部と、
前記文字入力受付部に入力が受け付けられた前記仮名文字を入力受付順に前記表示部に表示する受付文字表示制御部と、
前記受付文字表示制御部が前記表示部に表示する前記仮名文字のうち、編集の対象とする仮名文字を指定する指示を操作者から受け付ける編集文字受付部として機能させ、更に、前記コンピューターを、
前記母音表示制御部は、前記編集文字受付部により指定が受け付けられた仮名文字を構成する母音を示す母音画像を前記表示部に表示させて前記切換表示を行い、
前記子音表示制御部は、前記編集文字受付部により指定が受け付けられた仮名文字を構成する子音を示す子音画像を前記表示部に表示させて前記切換表示を行い、
前記指定受付部は、前記母音表示制御部によって表示される前記母音画像に対応する母音と、前記子音表示制御部によって表示される前記子音画像に対応する子音とを指定する指示を操作者から受け付け、
前記文字入力受付部は、前記指示受付部によって受け付けられた母音及び子音により構成される仮名文字の入力を受け付けるように機能させる文字入力プログラム。
【請求項４】
コンピューターを、
各母音毎に設けられた母音画像と、各子音毎に設けられた子音画像とを記憶する画像記憶部と、 
前記コンピューターが備える表示部の表示画面上における操作者による接触を検知する接触検知部と、
前記母音画像を母音別に前記表示部に表示させ、当該母音画像の表示領域における接触が前記接触検知部によって検知されたとき、表示中の母音画像を他の母音画像に順次切り換えて表示する切換表示を行う母音表示制御部と、
前記子音画像を子音別に前記表示部に表示させ、当該子音画像の表示領域における接触が前記接触検知部によって検知されたとき、表示中の子音画像を他の子音画像に順次切り換えて表示する切換表示を行う子音表示制御部と、
前記母音表示制御部によって前記表示部に表示されている前記母音画像に対応する母音と、前記子音表示制御部によって前記表示部に表示されている前記子音画像に対応する子音とを指定する指示の入力を操作者から受け付ける指定受付部と、
前記指示受付部によって入力が受け付けられた母音及び子音により構成される仮名文字の入力を受け付ける文字入力受付部と、
前記文字入力受付部によって入力が受け付けられた前記仮名文字を編集する編集指示を操作者から受け付ける編集受付部として機能させ、更に、前記コンピューターを、
前記母音表示制御部は、前記編集受付部により前記編集指示が受け付けられた場合、前記入力が受け付けられた各仮名文字を構成する母音に対応する母音画像を予め定められた文字数分ずつ前記表示部に順次切り換えて表示させて前記切換表示を行い、
前記子音表示制御部は、前記母音表示制御部により表示される前記母音画像の示す母音が属する前記仮名文字を構成する子音に対応する子音画像を前記表示部に表示させて前記切換表示を行い、
前記指定受付部は、前記母音表示制御部によって表示される前記母音画像が示す母音と、前記子音表示制御部によって表示される前記子音画像が示す子音とを指定する指示を操作者から受け付け、
前記文字入力受付部は、前記指示受付部によって受け付けられた母音及び子音により構成される仮名文字の入力を受け付けるように機能させる文字入力プログラム。
【発明の詳細な説明】
【技術分野】
【０００１】
本発明は、文字入力装置及び文字入力プログラムに関する。
【背景技術】
【０００２】
従来、画像形成装置等において文字入力を受け付ける場合には、表示部に入力候補となる文字の画像を表示部に表示させ、当該表示部に設けられたタッチパネル機能により、操作者による当該画像の表示部分への接触を検知して、当該画像により示される文字の入力を受け付ける文字入力技術が採用されている。このような文字入力技術が採用された装置としては、例えば、下記特許文献１に、１つのキーに複数の仮名文字を割り当て、当該キーの押下回数に応じて仮名文字を指定して入力するキー入力装置が示されている。また、下記特許文献２には、入力可能な各仮名文字を示す文字ボタンを表示部の表示画面に表示させ、操作者により押下された文字ボタンに対応する仮名文字の入力を受け付けるキー入力装置が示されている。
【先行技術文献】
【特許文献】
【０００３】
【特許文献１】特開平１０−２０７６０８号公報
【特許文献２】特開平５−１５８６０４号公報
【発明の概要】
【発明が解決しようとする課題】
【０００４】
しかしながら、特許文献１に示されるキー入力装置は、１つの仮名文字を指定して入力するためには多くの回数のキー操作が必要になる。また、特許文献２に示されるキー入力装置は、入力可能な各仮名文字に対応する多くの文字ボタンを、限られた面積からなる狭い表示画面内に表示するため、各文字ボタンの大きさが小さくなってしまい、操作者が文字ボタンを操作し難いという問題がある。
【０００５】
本発明は、上記の問題を解決するためになされたもので、仮名文字を入力する際に表示部に表示される文字入力操作用の画像を大きく表示でき、操作者の操作性を従来よりも向上させることを目的とする。
【課題を解決するための手段】
【０００６】
本発明の請求項１に記載の発明は、画像を表示する表示部と、
各母音毎に設けられた母音画像と、各子音毎に設けられた子音画像とを記憶する画像記憶部と、
前記表示部の表示画面上における操作者による接触を検知する接触検知部と、
前記母音画像を母音別に前記表示部に表示させ、当該母音画像の表示領域における接触が前記接触検知部によって検知されたとき、表示中の母音画像を他の母音画像に順次切り換えて表示する切換表示を行う母音表示制御部と、
前記子音画像を子音別に前記表示部に表示させ、当該子音画像の表示領域における接触が前記接触検知部によって検知されたとき、表示中の子音画像を他の子音画像に順次切り換えて表示する切換表示を行う子音表示制御部と、
前記母音表示制御部によって前記表示部に表示されている前記母音画像に対応する母音と、前記子音表示制御部によって前記表示部に表示されている前記子音画像に対応する子音とを指定する指示の入力を操作者から受け付ける指定受付部と、
前記指示受付部によって入力が受け付けられた母音及び子音により構成される仮名文字の入力を受け付ける文字入力受付部と、
前記文字入力受付部に入力が受け付けられた前記仮名文字を入力受付順に前記表示部に表示する受付文字表示制御部と、
前記受付文字表示制御部が前記表示部に表示する前記仮名文字のうち、編集の対象とする仮名文字を指定する指示を操作者から受け付ける編集文字受付部とを備え、
前記母音表示制御部は、前記編集文字受付部により指定が受け付けられた仮名文字を構成する母音を示す母音画像を前記表示部に表示させて前記切換表示を行い、
前記子音表示制御部は、前記編集文字受付部により指定が受け付けられた仮名文字を構成する子音を示す子音画像を前記表示部に表示させて前記切換表示を行い、
前記指定受付部は、前記母音表示制御部によって表示される前記母音画像に対応する母音と、前記子音表示制御部によって表示される前記子音画像に対応する子音とを指定する指示を操作者から受け付け、
前記文字入力受付部は、前記指示受付部によって受け付けられた母音及び子音により構成される仮名文字の入力を受け付ける文字入力装置である。
である。
【０００７】
また、請求項３に記載の発明は、コンピューターを、
各母音毎に設けられた母音画像と、各子音毎に設けられた子音画像とを記憶する画像記憶部と、 
前記コンピューターが備える表示部の表示画面上における操作者による接触を検知する接触検知部と、
前記母音画像を母音別に前記表示部に表示させ、当該母音画像の表示領域における接触が前記接触検知部によって検知されたとき、表示中の母音画像を他の母音画像に順次切り換えて表示する切換表示を行う母音表示制御部と、
前記子音画像を子音別に前記表示部に表示させ、当該子音画像の表示領域における接触が前記接触検知部によって検知されたとき、表示中の子音画像を他の子音画像に順次切り換えて表示する切換表示を行う子音表示制御部と、
前記母音表示制御部によって前記表示部に表示されている前記母音画像に対応する母音と、前記子音表示制御部によって前記表示部に表示されている前記子音画像に対応する子音とを指定する指示の入力を操作者から受け付ける指定受付部と、
前記指示受付部によって入力が受け付けられた母音及び子音により構成される仮名文字の入力を受け付ける文字入力受付部と、
前記文字入力受付部に入力が受け付けられた前記仮名文字を入力受付順に前記表示部に表示する受付文字表示制御部と、
前記受付文字表示制御部が前記表示部に表示する前記仮名文字のうち、編集の対象とする仮名文字を指定する指示を操作者から受け付ける編集文字受付部として機能させ、更に、前記コンピューターを、
前記母音表示制御部は、前記編集文字受付部により指定が受け付けられた仮名文字を構成する母音を示す母音画像を前記表示部に表示させて前記切換表示を行い、
前記子音表示制御部は、前記編集文字受付部により指定が受け付けられた仮名文字を構成する子音を示す子音画像を前記表示部に表示させて前記切換表示を行い、
前記指定受付部は、前記母音表示制御部によって表示される前記母音画像に対応する母音と、前記子音表示制御部によって表示される前記子音画像に対応する子音とを指定する指示を操作者から受け付け、
前記文字入力受付部は、前記指示受付部によって受け付けられた母音及び子音により構成される仮名文字の入力を受け付けるように機能させる文字入力プログラムである。
【０００８】
これらの発明では、母音表示制御部及び子音表示制御部が、母音画像及び子音画像を表示部に表示させ、当該母音画像又は子音画像の表示領域における接触が接触検知部によって検知されると、当該接触があった母音画像又は子音画像を順次切り換えて表示し、指定受付部は、表示部に表示されている母音画像及び子音画像に対応するそれぞれの母音及び子音を指定する指示を操作者から受け付け、文字入力受付部が、当該指定の受け付けられた母音及び子音により構成される仮名文字の入力を受け付ける。
【０００９】
このため、操作者は、入力したい文字を構成する母音の母音画像と子音の子音画像の両方を表示部による表示で視認して、当該母音画像及び子音画像の表示を切り換える操作を母音画像又は子音画像毎に別個に行い、所望の母音に対応する母音画像、及び子音に対応する子音画像が表示された時点で、当該母音及び子音を指定する指示を指定受付部に入力すれば、入力する仮名文字を指定できる。
【００１０】
これにより、例えば、１つのキーに複数の仮名文字を割り当てて、当該キーの押下回数に応じて仮名文字を指定して入力する従来のキー入力と比べて、入力対象とする仮名文字を指定するために操作者に求められる操作手数が削減されるため、入力したい仮名文字を指定するために必要な操作が簡易になる。
【００１１】
また、本発明では、入力の対象とする仮名文字の指定を受け付ける際、表示部の表示画面には、仮名文字を特定するための母音画像及び子音画像を表示させれば、操作者が入力する仮名文字を特定可能である。このため、入力可能な各仮名文字を示す多くの文字ボタンを表示部の表示画面に表示させて、操作者により押下された文字ボタンに対応する仮名文字の入力を受け付ける従来のキー入力と比べて、表示部の表示画面に配置を要する画像又はキーの数を減らすことができ、表示する各画像又はキーを大きく表示できるので、操作者は画像又はキーの操作を容易に行うことができる。
【００１２】
これらの発明では、母音表示制御部及び子音表示制御部が、編集文字受付部により指定が受け付けられた仮名文字について、当該仮名文字を構成する母音及び子音に対応するそれぞれの母音画像及び子音画像を表示部に表示させて上述した操作者の操作に基づく切換表示を行い、指定受付部は、当該表示される母音画像及び子音画像に対応するそれぞれの母音及び子音を指定する指示を操作者から受け付けるため、操作者は、一旦入力した仮名文字について、訂正又は変更の編集を行う場合であっても、仮名文字を訂正又は変更するために操作者に求められる操作手数を削減できる。さらには、例えば、誤入力の仮名文字「ら」を、仮名文字「た」に変更する場合は、子音を「Ｒ」から「Ｔ」に変更する操作をすれば足りる。従来は、一旦入力した仮名文字を訂正する際の操作は、入力した仮名文字自体を消去して再度入力をし直す作業になるが、本発明では、当該仮名文字を構成する母音又は子音のうち、訂正が必要な方のみを訂正する操作で済ませることが可能である。このため、従来の操作よりも操作手数を削減して操作者の操作性を更に向上させることができる。
【００１３】
また、請求項２に記載の発明は、画像を表示する表示部と、
各母音毎に設けられた母音画像と、各子音毎に設けられた子音画像とを記憶する画像記憶部と、
前記表示部の表示画面上における操作者による接触を検知する接触検知部と、
前記母音画像を母音別に前記表示部に表示させ、当該母音画像の表示領域における接触が前記接触検知部によって検知されたとき、表示中の母音画像を他の母音画像に順次切り換えて表示する切換表示を行う母音表示制御部と、
前記子音画像を子音別に前記表示部に表示させ、当該子音画像の表示領域における接触が前記接触検知部によって検知されたとき、表示中の子音画像を他の子音画像に順次切り換えて表示する切換表示を行う子音表示制御部と、
前記母音表示制御部によって前記表示部に表示されている前記母音画像に対応する母音と、前記子音表示制御部によって前記表示部に表示されている前記子音画像に対応する子音とを指定する指示の入力を操作者から受け付ける指定受付部と、
前記指示受付部によって入力が受け付けられた母音及び子音により構成される仮名文字の入力を受け付ける文字入力受付部と、
前記文字入力受付部によって入力が受け付けられた前記仮名文字を編集する編集指示を操作者から受け付ける編集受付部とを備え、
前記母音表示制御部は、前記編集受付部により前記編集指示が受け付けられた場合、前記入力が受け付けられた各仮名文字を構成する母音に対応する母音画像を予め定められた文字数分ずつ前記表示部に順次切り換えて表示させて前記切換表示を行い、
前記子音表示制御部は、前記母音表示制御部により表示される前記母音画像の示す母音が属する前記仮名文字を構成する子音に対応する子音画像を前記表示部に表示させて前記切換表示を行い、
前記指定受付部は、前記母音表示制御部によって表示される前記母音画像が示す母音と、前記子音表示制御部によって表示される前記子音画像が示す子音とを指定する指示を操作者から受け付け、
前記文字入力受付部は、前記指示受付部によって受け付けられた母音及び子音により構成される仮名文字の入力を受け付ける文字入力装置である。
【００１４】
また、請求項４に記載の発明は、コンピューターを、
各母音毎に設けられた母音画像と、各子音毎に設けられた子音画像とを記憶する画像記憶部と、 
前記コンピューターが備える表示部の表示画面上における操作者による接触を検知する接触検知部と、
前記母音画像を母音別に前記表示部に表示させ、当該母音画像の表示領域における接触が前記接触検知部によって検知されたとき、表示中の母音画像を他の母音画像に順次切り換えて表示する切換表示を行う母音表示制御部と、
前記子音画像を子音別に前記表示部に表示させ、当該子音画像の表示領域における接触が前記接触検知部によって検知されたとき、表示中の子音画像を他の子音画像に順次切り換えて表示する切換表示を行う子音表示制御部と、
前記母音表示制御部によって前記表示部に表示されている前記母音画像に対応する母音と、前記子音表示制御部によって前記表示部に表示されている前記子音画像に対応する子音とを指定する指示の入力を操作者から受け付ける指定受付部と、
前記指示受付部によって入力が受け付けられた母音及び子音により構成される仮名文字の入力を受け付ける文字入力受付部と、
前記文字入力受付部によって入力が受け付けられた前記仮名文字を編集する編集指示を操作者から受け付ける編集受付部として機能させ、更に、前記コンピューターを、
前記母音表示制御部は、前記編集受付部により前記編集指示が受け付けられた場合、前記入力が受け付けられた各仮名文字を構成する母音に対応する母音画像を予め定められた文字数分ずつ前記表示部に順次切り換えて表示させて前記切換表示を行い、
前記子音表示制御部は、前記母音表示制御部により表示される前記母音画像の示す母音が属する前記仮名文字を構成する子音に対応する子音画像を前記表示部に表示させて前記切換表示を行い、
前記指定受付部は、前記母音表示制御部によって表示される前記母音画像が示す母音と、前記子音表示制御部によって表示される前記子音画像が示す子音とを指定する指示を操作者から受け付け、
前記文字入力受付部は、前記指示受付部によって受け付けられた母音及び子音により構成される仮名文字の入力を受け付けるように機能させる文字入力プログラムである。
【００１５】
これらの発明では、編集受付部が、既に入力が受け付けられている仮名文字を編集する指示を操作者から受け付けると、母音表示制御部及び子音表示制御部が、この時点で入力が受け付けられている各仮名文字を構成する母音及び子音に対応するそれぞれの母音画像及び子音画像を、予め定められた数の仮名文字ずつ順番に表示部に表示させて上述した切換表示を行い、指定受付部は、当該表示される母音画像及び子音画像に対応するそれぞれの母音及び子音を指定する指示を操作者から受け付けるため、操作者は、一旦入力した仮名文字を訂正する場合であっても、仮名文字を訂正するために操作者に求められる操作手数を削減できる。
【００１６】
さらには、例えば、誤入力の仮名文字「ら」を、仮名文字「た」に変更する場合は、子音を「Ｒ」から「Ｔ」に変更する操作をすれば足りる。従来は、一旦入力した仮名文字を訂正する際の操作は、入力した仮名文字自体を消去して再度入力をし直す作業になるが、本発明では、当該仮名文字を構成する母音及び子音のうち、訂正が必要な方のみを訂正する操作で済ませることが可能である。このため、従来の操作よりも操作手数を削減して操作者の操作性を更に向上させることができる。
【００１７】
また、本発明の場合、操作者は、編集の対象とする文字を指定する操作を行わなくても、各仮名文字の母音及び子音に対応するそれぞれの母音画像及び子音画像が表示部の表示画面に順次切り換わって表示されるため、操作者は、訂正対象とする仮名文字を示す母音画像及び子音画像に簡単にアクセスすることができる。
【発明の効果】
【００１８】
本発明によれば、仮名文字を入力する際に表示部に表示される文字入力操作用の画像を大きく表示でき、操作者の操作性を従来よりも向上させることができる。
【図面の簡単な説明】
【００１９】
【図１】本発明の一実施形態に係る文字入力装置を備える画像形成装置の構造を示す正面断面図である。
【図２】画像形成装置の主要内部構成を概略的に示す機能ブロック図である。
【図３】画像形成装置による文字入力処理の流れを示すフローチャートである。
【図４】表示部の表示画面の一例を示す図である。
【図５】(Ａ)〜(Ｄ)は表示部の表示画面の一例を示す図である。
【図６】仮名文字でなる語句「きようせらみた」を入力する場合の操作の流れを示す図である。
【図７】画像形成装置による文字編集処理の第１実施形態を示すフローチャートである。
【図８】仮名文字でなる語句「きようせらみた」を編集する場合の操作の流れを示す図である。
【図９】表示部の表示画面の一例を示す図である。
【図１０】画像形成装置による文字編集処理の第１実施形態を示すフローチャートである。
【図１１】表示部の表示画面の一例を示す図である。
【図１２】表示部の表示画面の一例を示す図である。
【図１３】(Ａ)(Ｂ)は表示部の表示画面の一例を示す図である。
【図１４】(Ａ)〜(Ｄ)は表示部の表示画面の一例を示す図である。
【発明を実施するための形態】
【００２０】
以下、本発明の一実施形態に係る文字入力プログラム、文字入力装置及び画像形成装置について図面を参照して説明する。図１は、本発明の一実施形態に係る文字入力装置を備える画像形成装置の構造を示す正面断面図である。画像形成装置１は、例えば、コピー機能、プリンター機能、スキャナー機能、およびファクシミリ機能等の複数の機能を兼ね備えた複合機であり、本発明の一実施形態に係る文字入力装置を備える。画像形成装置１は、装置本体１１に、画像形成部１２、定着装置１３、給紙部１４、用紙排出部１５、原稿給送部６、及び原稿読取部５等を備えて構成されている。
【００２１】
装置本体１１は、下部本体１１１と、この下部本体１１１の上方に対向配置された上部本体１１２と、この上部本体１１２と下部本体１１１との間に設けられた連結部１１３とを備えている。連結部１１３は、下部本体１１１と上部本体１１２との間に用紙排出部１５を形成させた状態で両者を互いに連結するための構造物であり、図１においては下部本体１１１の左部および後部から立設され、平面視でＬ字状とされている。上部本体１１２は、連結部１１３の上端部に支持されている。上部本体１１２には、原稿読取部５及び原稿給送部６が設けられている。
【００２２】
画像形成装置１の前面部には、操作者からの操作指示が入力される操作部４７が設けられている。この操作部４７は、ＬＣＤ(Liquid Crystal Display)等からなる表示部４７３を備えている。
【００２３】
原稿読取部５は、上部本体１１２の上面開口に装着された、原稿を載置するためのコンタクトガラス(原稿台)１６１と、このコンタクトガラス１６１に載置された原稿を押さえる開閉自在の原稿押さえカバー１６２と、コンタクトガラス１６１に載置された原稿の画像を読み取る読取機構１６３とを備えている。読取機構１６３は、ＣＣＤ（Charge Coupled Device）やＣＭＯＳ（ComplementaryMetal Oxide Semiconductor）等のイメージセンサーを用いて原稿の画像を光学的に読み取り、画像データを生成する。
【００２４】
原稿給送部６は、原稿が載置される原稿載置台６１と、画像読み取り済みの原稿が排出される原稿排出部６６と、原稿搬送機構６５と、を備える。原稿搬送機構６５は、図略の給紙ローラー、搬送ローラー、及び用紙反転機構を備えている。原稿搬送機構６５は、給紙ローラー及び搬送ローラーの駆動により、原稿載置台６１に載置された原稿を１枚ずつ繰り出して原稿読取スリット５３に対向する位置へ搬送し、原稿読取スリット５３を介して読取機構１６３による読取を可能とした後、原稿排出部６６へと排出する。また、原稿搬送機構６５は、用紙反転機構が原稿を表裏反転させて原稿読取スリット５３と対向する位置へ再搬送することで、当該原稿の両面の画像を、原稿読取スリット５３を介して読取機構１６３により読取可能にしている。
【００２５】
さらに原稿給送部６は、その前面側が上方に移動可能となるように上部本体１１２に対して回動自在に設けられている。原稿給送部６の前面側を上方に移動させて原稿台としてのコンタクトガラス１６１上面を開放することにより、コンタクトガラス１６１の上面に読み取り原稿、例えば見開き状態にされた書籍等をユーザーが載置できるようになっている。
【００２６】
下部本体１１１には、画像形成部１２、定着装置１３および給紙部１４が内装されている。上部本体１１２には原稿読取部５が設けられている。給紙部１４は、装置本体１１に対して挿脱可能の給紙カセット１４２，１４３，１４４を有している。給紙カセット１４２，１４３，１４４には記録紙(記録媒体の一例)が積層されてなる用紙束がそれぞれ収容されている。
【００２７】
画像形成部１２は、給紙部１４から給紙された記録紙にトナー像を形成する画像形成動作を行う。画像形成部１２は、中間転写ベルト１２５の走行方向において上流側から下流側へ向けて順次配設された、マゼンタ色のトナーを用いるマゼンタ用の画像形成ユニット１２Ｍ、シアン色のトナーを用いるシアン用の画像形成ユニット１２Ｃ、イエロー色のトナーを用いるイエロー用の画像形成ユニット１２Ｙおよびブラック色のトナーを用いるブラック用の画像形成ユニット１２Ｂｋ（以下、各画像形成ユニットを区別することなく述べる場合には、それぞれを「画像形成ユニット１２０」という）と、駆動ローラー１２５ａ（二次転写対向ローラー）等の複数のローラー間に画像形成における副走査方向へ無端走行可能に張架された中間転写ベルト１２５と、中間転写ベルト１２５が駆動ローラー１２５ａに張架される部分で中間転写ベルト１２５の外周面に当接する二次転写ローラー２１０とを備えている。
【００２８】
各画像形成ユニット１２０は、感光体ドラム１２１と、感光体ドラム１２１へトナーを供給する現像装置１２２と、トナーを収容するトナーカートリッジ（不図示）と、帯電装置１２３と、露光装置１２４と、一次転写ローラー１２６と、ドラムクリーニング装置１２７とをそれぞれ一体的に備えている。
【００２９】
感光体ドラム１２１は、その周面に静電潜像およびこの静電潜像に沿ったトナー像を形成する。現像装置１２２は、感光体ドラム１２１へトナーを供給する。各現像装置１２２には、前記トナーカートリッジからトナーが適宜補給される。
【００３０】
帯電装置１２３は、感光体ドラム１２１の直下位置に設けられている。帯電装置１２３は、各感光体ドラム１２１の周面を一様に帯電させる。
【００３１】
露光装置１２４は、感光体ドラム１２１の下方位置であって、帯電装置１２３の更に下方位置に設けられている。露光装置１２４は、コンピューター等から入力された画像データや原稿読取部５が取得した画像データに基づく各色に対応したレーザ光を、帯電後の感光体ドラム１２１の周面に照射し、各感光体ドラム１２１の周面に静電潜像を形成する。
【００３２】
現像装置１２２は、矢印の方向へ回転する感光体ドラム１２１の周面の静電潜像にトナーを供給して当該トナーを積層させ、感光体ドラム１２１の周面に前記画像データに応じたトナー像を形成する。
【００３３】
中間転写ベルト１２５は、各感光体ドラム１２１の上方位置に配置されている。中間転写ベルト１２５は、図１における左側の駆動ローラー１２５ａと、同図の右側の従動ローラー１２５ｂとの間に無端走行可能に張架され、下方の外周面が各感光体ドラム１２１の周面に当接している。
【００３４】
中間転写ベルト１２５を挟んで各感光体ドラム１２１に対向する位置には、一次転写ローラー１２６が設けられている。この一次転写ローラー１２６には、図略の転写バイアス印加機構により転写バイアスが印加され、一次転写ローラー１２６は、各感光体ドラム１２１の外周周面に形成された上記トナー像を中間転写ベルト１２５の表面に転写させる。
【００３５】
制御部１００（図２）は、各色の毎に一次転写ローラー１２６及び画像形成ユニット１２０を駆動制御して、中間転写ベルト１２５の表面に、マゼンタ用の画像形成ユニット１２Ｍにより形成されたマゼンタのトナー像の転写と、次いで中間転写ベルト１２５の同一位置にシアン用の画像形成ユニット１２Ｃにより形成されたシアンのトナー像の転写と、次いで中間転写ベルト１２５の同一位置にイエロー用の画像形成ユニット１２Ｙにより形成されたイエローのトナー像の転写と、最後のブラック用の画像形成ユニット１２Ｂｋにより形成されたブラックのトナー像の転写とを、各色のトナー像が重なり合うように行わせ、これによりカラーのトナー像を中間転写ベルト１２５の表面に形成させる（中間転写（一次転写））。
【００３６】
二次転写ローラー２１０は、図略の転写バイアス印加機構により転写バイアスが印加されている。二次転写ローラー２１０は、中間転写ベルト１２５の表面に形成されたカラーの上記トナー像を、給紙部１４から搬送されてきた記録紙に転写させる。二次転写ローラー２１０は、中間転写ベルト１２５が駆動ローラー１２５ａに張架される部分の用紙搬送路１９０に、中間転写ベルト１２５の外周面に当接させて設けられている。二次転写ローラー２１０は、前記トナー像が記録紙に二次転写されるニップ部Ｎを、中間転写ベルト１２５を挟んで駆動ローラー１２５ａとの間に形成する。用紙搬送路１９０を搬送される記録紙は、ニップ部Ｎにおいて中間転写ベルト１２５と二次転写ローラー２１０とに押圧挟持され、ここにおいて中間転写ベルト１２５上のトナー像が記録紙に二次転写される。なお、二次転写ローラー２１０及び駆動ローラー１２５ａのニップ部Ｎよりも、搬送ローラー１９２による記録紙の搬送方向上流側には、レジストローラー６３０が配設されている。
【００３７】
ドラムクリーニング装置１２７は、各感光体ドラム１２１の図１で左方位置に設けられ、感光体ドラム１２１の周面の残留トナーを除去してクリーニングする。このドラムクリーニング装置１２７によってクリーニングされた感光体ドラム１２１の周面は、新たな帯電処理のために再び帯電装置１２３へ向かう。
【００３８】
画像形成部１２に対して図１での左方位置には、上下方向に延びる用紙搬送路１９０が形成されている。用紙搬送路１９０には、適所に搬送ローラー１９２が設けられている。搬送ローラー１９２は、給紙部１４から繰り出された記録紙を、ニップ部Ｎ及び定着装置１３に向けて搬送する。すなわち、当該適所に配置された搬送ローラー１９２からなる搬送機構により記録紙が搬送される。
【００３９】
定着装置１３は、内部に加熱源である通電発熱体を備えた加熱ローラー１３２と、加熱ローラー１３２に対向配置された加圧ローラー１３４とを備えている。定着装置１３は、画像形成部１２で転写された記録紙上のトナー像に対し、記録紙が加熱ローラー１３２と加圧ローラー１３４との間の定着ニップ部を通過する間に、加熱ローラー１３２から熱を与えて定着処理を施す。定着処理の完了したカラー画像形成済みの記録紙は、定着装置１３の上部から延設された排紙搬送路１９４を通って、下部本体１１１の頂部に設けられた排出トレイ１５１へ向けて排出される。
【００４０】
なお、従動ローラー１２５ｂに張架された中間転写ベルト１２５の外周面に対向する位置にはクリーニング部２２が設けられている。
【００４１】
給紙部１４は、装置本体１１の図１における右側壁に開閉自在に設けられた手差しトレイ１４１と、下部本体１１１内における露光装置１２４より下方位置に挿脱可能に装着された給紙カセット１４２，１４３，１４４とを備えている。
【００４２】
手差しトレイ１４１は、下部本体１１１の右面の下方位置に設けられた、記録紙を手差し操作で画像形成部１２へ向けて給紙するためのトレイである。給紙カセット１４２，１４３，１４４は、複数枚の記録紙が積層されてなる用紙束を収容する。給紙カセット１４２の上方には、ピックアップローラー１４５が設けられ、ピックアップローラー１４５は、給紙カセット１４２，１４３，１４４に収容された用紙束の最上位の記録紙を用紙搬送路１９０へ向けて繰り出す。
【００４３】
用紙排出部１５は、下部本体１１１と上部本体１１２との間に形成されている。用紙排出部１５は、下部本体１１１の上面に形成された排出トレイ１５１を備える。排出トレイ１５１は、画像形成部１２でトナー像が形成された記録紙が、定着装置１３で定着処理が施された後に排出されるトレイである。
【００４４】
次に、画像形成装置１の電気的構成を説明する。図２は画像形成装置１の主要内部構成を概略的に示す機能ブロック図である。
【００４５】
画像形成装置１は、制御ユニット１０を備える。制御ユニット１０は、ＣＰＵ(Central Processing Unit)、ＲＡＭ、ＲＯＭ及び専用のハードウェア回路等から構成され、画像形成装置１の全体的な動作制御を司る。
【００４６】
制御ユニット１０は、原稿読取部５、画像処理部３１、画像メモリー３２、用紙搬送部４１１、画像形成部１２、操作部４７、ファクシミリ通信部７１、ネットワークインターフェイス部９１、ＨＤＤ（ハードディスクドライブ）８１等と接続されている。制御ユニット１０は、接続されている上記各機構の動作制御や、各機構との間での信号又はデータの送受信を行う。
【００４７】
制御ユニット１０は、上述した画像形成装置１の全体的な動作制御を司る制御部１００を備える。制御部１００は、ユーザーから操作部４７又はネッワーク接続されたパーソナルコンピューター等を通じて入力されるジョブの実行指示に従って、スキャナー機能、プリンター機能、コピー機能及びプリンター機能の各機能についての動作制御を実行するために必要な各機構部の駆動及び処理を制御する。
【００４８】
原稿読取部５は、画像照射ランプ５１１及びＣＣＤ（電荷結合素子：Charge Coupled Device）センサー５１２を有する上記の読取機構１６３からなるスキャナー部５１を備える。原稿読取部５は、画像照射ランプ５１１により原稿を照射し、その反射光をＣＣＤセンサー５１２で受光することにより、原稿から画像を読み取る。
【００４９】
画像処理部３１は、原稿読取部５で読み取られた画像の画像データを必要に応じて画像処理する。例えば、画像処理部３１は、原稿読取部５により読み取られた画像が画像形成部１２により画像形成された後の品質を向上させるために、予め定められた画像処理を行う。
【００５０】
画像メモリー３２は、上記原稿読取部５で読み取られた画像データ等を記憶する。
【００５１】
用紙搬送部４１１は、図１に示したピックアップローラー１４５及び搬送ローラー１９２等から構成され、手差しトレイ１４１，給紙カセット１４２，１４３に収納されている記録紙を画像形成部１２及び排出トレイ１５１まで搬送する。
【００５２】
画像形成部１２は、上述したように、画像形成ユニット１２Ｍ、１２Ｃ、１２Ｙ、１２Ｂｋと、駆動ローラー１２５ａに張架された中間転写ベルト１２５と、二次転写ローラー２１０とを備えている。画像形成部１２による出力対象となる画像データは、原稿読取部５で読み取られた画像データ、ネットワークインターフェイス部９１を介してローカルエリア内のクライアントコンピューター等から送信されてきた画像データ等から送信されてきた画像データ等である。なお、図２に示す画像形成部１２には、定着装置１３も併せて含まれるものとする。
【００５３】
操作部４７は、画像形成装置１が実行可能な各種動作及び処理についてユーザーからの指示を受け付けるタッチパネル部及び操作キー部を備える。タッチパネル部は、接触検知部１０２として、操作部４７が備える表示部４７３のディスプレイ部分に設けられており、表示部４７３の表示画面上における操作者による接触をその接触位置と共に検知する。タッチパネル部は、当該操作者による接触を検知すると、当該接触の旨を示す検知信号を後述する母音表示制御部１０３１及び子音表示制御部１０３２等に出力する。
【００５４】
ファクシミリ通信部７１は、図略の符号化／復号化部、変復調部及びＮＣＵ（Network Control Unit）を備え、公衆電話回線網を用いてのファクシミリの送信を行うものである。ファクシミリ通信部７１は、例えば原稿読取部５によって読み取られた原稿の画像データを、電話回線を介してファクシミリ装置等へ送信したり、ファクシミリ装置等から送信された画像データを受信する。
【００５５】
ＨＤＤ８１は、原稿読取部５によって読み取られた画像データ等を記憶する。ＨＤＤ８１に記憶されている画像データは、画像形成部１２による画像形成に用いられ、また、画像形成装置１にネットワーク接続されたクライアントコンピューターへの送信が可能である。
【００５６】
ネットワークインターフェイス部９１は、ＬＡＮボード等の通信モジュールから構成され、当該ネットワークインターフェイス部９１に接続されたＬＡＮ等を介して、ローカルエリア内の装置(パーソナルコンピューター等)と種々のデータの送受信を行う。
【００５７】
また、制御ユニット１０は、更に、表示制御部１０３、指定受付部１０５、文字入力受付部１０６、編集文字受付部１０８、及び編集受付部１０９を備えている。制御ユニット１０内のメモリー又はＲＯＭ、或いはＨＤＤ８１等に記憶された本発明の一実施形態である文字入力プログラムに従ってＣＰＵが動作することで、これら各部として機能する。或いは、制御ユニット１０が上記各部に対応する専用のハードウェア回路等を備えることにより当該各部として機能するようにしてもよい。但し、後述する母音表示制御部１０３１、子音表示制御部１０３２、及び受付文字表示制御部１０３３は、これら各表示制御部を兼ねる１つの表示制御部により構成されてもよいし、これら各表示制御部を制御部１００が兼ねる構成としてもよい。
【００５８】
表示制御部１０３は、表示部４７３の表示制御を司る。表示制御部１０３は、母音表示制御部１０３１、子音表示制御部１０３２、及び受付文字表示制御部１０３３を備える。
【００５９】
母音表示制御部１０３１は、仮名文字を構成する母音及び子音のうち、母音を示す母音画像を表示部４７３に表示させる。すなわち、各仮名文字は、母音及び子音の組み合わせから構成されるが(例えば、仮名文字「か」の場合は子音「Ｋ」及び母音「ａ」で構成される等)、母音は、「ａ」，「ｉ」，「ｕ」，「ｅ」，「ｏ」の各音からなり、母音表示制御部１０３１は、当該母音のそれぞれを示す母音画像を選択的に表示部４７３に表示させる。母音表示制御部１０３１は、タッチパネル部から、表示部４７３による母音画像の表示領域における接触を示す検知信号を受信したときに、表示中の母音画像を次候補の別の母音を示す母音画像に切り換えて表示することで、各母音毎に用意されている母音画像を順次切り換えて表示部４７３に表示する。
【００６０】
子音表示制御部１０３２は、仮名文字を構成する母音及び子音のうち、子音を示す子音画像を表示部４７３に表示させる。各仮名文字は、上述したように、母音及び子音の組み合わせから構成されるが、子音は、Ｋ(「か」行の子音)，Ｓ(「さ」行の子音)，Ｔ(「た」行の子音)，Ｎ(「な」行の子音)，Ｈ(「は」行の子音)，Ｍ(「ま」行の子音)，Ｙ(「や」行の子音)，Ｒ(「ら」行の子音)，Ｗ(「わ」行の子音)，Ｇ(「が」行の子音)，Ｚ(「ざ」行の子音)，Ｄ(「で」行の子音)，Ｂ(「ば」行の子音)，ＮＮ(「ん」に対応)等の各音からなり、子音表示制御部１０３２は、当該子音のそれぞれを示す子音画像を選択的に表示部４７３に表示させる。子音表示制御部１０３２は、タッチパネル部から表示部４７３における子音画像の表示領域における接触を示す検知信号を受信したときに、表示中の子音画像を次候補の別の子音を示す子音画像に切り換えて表示することで、各子音毎に用意されている子音画像を順次切り換えて表示部４７３に表示する。
【００６１】
指定受付部１０５は、母音表示制御部１０３１によって表示部４７３に表示されている母音画像に対応する母音と、子音表示制御部１０３２によって表示部４７３に表示されている子音画像に対応する子音とを指定する指示を操作者から受け付ける。操作者による操作部４７の操作により、表示中の母音画像に対応する母音と、子音画像に対応する子音とを指定する指示が操作部４７に入力され、指定受付部１０５が当該指示を受け付ける。
【００６２】
文字入力受付部１０６は、指定受付部１０５によって受け付けられた母音及び子音により構成される仮名文字の入力を受け付ける。すなわち、文字入力受付部１０６は、指定受付部１０５によって受け付けられた母音及び子音で構成される仮名文字を特定し、当該特定した仮名文字の入力を受け付ける。
【００６３】
受付文字表示制御部１０３３は、文字入力受付部１０６によって受け付けられた仮名文字を受付順に表示部４７３に表示する。すなわち、受付文字表示制御部１０３３は、当該受け付けられた仮名文字を受付順に表示部４７３に表示することで、操作者が入力した仮名文字又は仮名文字群からなる語句を表示部４７３に表示させる。
【００６４】
編集文字受付部１０８は、受付文字表示制御部１０３３が表示部４７３に表示する仮名文字のうち、編集の対象とする仮名文字を指定する指示を操作者から受け付ける。例えば、文字入力受付部１０６によって入力が受け付けられた各仮名文字からなる語句を、受付文字表示制御部１０３３が表示部４７３に表示しているとき、操作者による操作部４７の操作で、当該各仮名文字から特定の文字を指定する指示が入力されると、編集文字受付部１０８は、当該指示により指定された文字を編集対象として受け付ける。
【００６５】
編集受付部１０９は、文字入力受付部１０６によって受け付けられた各仮名文字を編集する指示を操作者から受け付ける。例えば、文字入力受付部１０６によって受け付けられた仮名文字又は仮名文字群からなる語句を、受付文字表示制御部１０３３が表示部４７３に表示しているとき、操作者による操作部４７の操作で、当該仮名文字又は仮名文字群を編集する編集指示が入力されると、編集受付部１０９は、当該編集指示を受け付ける。母音表示制御部１０３１及び子音表示制御部１０３２は、編集受付部１０９に当該編集指示が受け付けられたとき、上記語句をなす各仮名文字を、予め定められた文字数毎に、各文字の母音及び子音に対応する母音画像及び子音画像を表示部４７３に表示させる。
【００６６】
なお、上記母音画像及び子音画像の各画像データは、文字入力プログラムに含まれており、文字入力プログラムがＨＤＤ８１に記憶されることで、ＨＤＤ８１に記憶される。母音表示制御部１０３１及び子音表示制御部１０３２は、自身が表示させる母音画像又は子音画像の画像データを、必要に応じて適宜にＨＤＤ８１から読み出す。このため、文字入力プログラムがＨＤＤ８１にインストールされることにより、ＨＤＤ８１の一部記憶領域が、母音画像及び子音画像を記憶する画像記憶部として機能する。
【００６７】
本発明の一実施形態に係る文字入力装置は、上記接触検知部(タッチパネル部)１０２、母音表示制御部１０３１、子音表示制御部１０３２、指定受付部１０５、文字入力受付部１０６、及び画像記憶部を備えてなる。また、文字入力装置は、後述する各実施形態において必要な限りで、(1)受付文字表示制御部１０３３及び編集文字受付部１０８、又は(2)編集受付部１０９のいずれかを更に備える。
【００６８】
次に、画像形成装置１による文字入力処理の第１実施形態を説明する。図３は画像形成装置１による文字入力処理の流れを示すフローチャートである。図４、図５(Ａ)〜(Ｄ)は表示部４７３の表示画面の一例を示す図である。
【００６９】
画像形成装置１は、その電源スイッチがオンとされた後、操作者からの指示を待機しているとき、表示制御部１０３は、図４に示すようなスタート画面Ｄ１を表示部４７３に表示させている(Ｓ１)。このスタート画面Ｄ１において、操作者により文字入力ボタンｄ１１が押下されることにより、操作者から文字入力を行う指示(文字入力画面に表示を切り換える指示)が、表示部４７３のタッチパネル部により操作部４７に入力されると(Ｓ２でＹＥＳ)、表示制御部１０３は、操作者から文字入力を受け付ける文字入力画面Ｄ２(図５(Ａ))を表示させる(Ｓ３)。この文字入力は、例えば、原稿読取部５による読取で得た原稿画像データを、ネットワーク上のパーソナルコンピューターの記憶部に記憶させる場合等、当該画像データからなるファイルにファイル名を付すため等に行われる。ただし、本発明でいう文字入力をこの例に限定する趣旨ではない。
【００７０】
文字入力画面Ｄ２は、1文字ずつ仮名文字の入力を受け付け、当該入力のための操作を操作者に案内するための画面である。文字入力画面Ｄ２は、母音画像ｄ２１、子音画像ｄ２２、矢印キーｄ２３、矢印キーｄ２４、Back Spaceキーｄ２５、及び文字種表示画像ｄ２６を有する。
【００７１】
母音画像ｄ２１は、入力する仮名文字を構成する母音及び子音のうち、操作者から所望の母音を表示する指示を受け付けるために、操作者に対して、入力候補となる母音を表示する画像である。母音画像ｄ２１は、上述したように、母音表示制御部１０３１によって、ＨＤＤ８１から読み出され、表示部４７３に表示される。
【００７２】
子音画像ｄ２２は、入力する仮名文字を構成する母音及び子音のうち、操作者から所望の子音を表示する指示を受け付けるために、操作者に対して、入力候補となる子音を表示する画像である。子音画像ｄ２２は、上述したように、子音表示制御部１０３２によって、ＨＤＤ８１から読み出され、表示部４７３に表示される。
【００７３】
矢印キーｄ２３は、操作者による矢印キーｄ２３への接触操作が行われた時点で文字入力画面Ｄ２に表示されている母音画像ｄ２１の示す母音及び子音画像ｄ２２の示す子音を指定する指示を受け付けるための画像である。操作者による矢印キーｄ２３の接触操作により、タッチパネル部が当該接触を検知し、当該接触を示す検知信号を、指定受付部１０５がタッチパネル部から受信すると、この時点で表示部４７３に表示されている母音画像ｄ２１の示す母音及び子音画像ｄ２２の示す子音を指定する指示を指定受付部１０５が受け付ける。
【００７４】
矢印キーｄ２４は、既に確定されている仮名文字のうち、操作者による編集の対象とする文字を指定する指示を受け付けるための画像である。操作者による矢印キーｄ２４の接触操作をタッチパネル部が検知し、編集文字受付部１０８が当該検知信号をタッチパネル部から受信すると、編集文字受付部１０８は、当該受信した検知信号の数に応じて、指定受付部１０５が受け付けた順で並ぶ各仮名文字のうち、いずれの文字を編集対象の文字とするかを決定する。なお、矢印キーｄ２４は、後述する編集処理の第１及び第２実施形態で用いられる。
【００７５】
Back Spaceキーｄ２５は、指定受付部１０５が受け付けた順で並ぶ各仮名文字を、その最後尾の文字から順に消去する指示を受け付けるための画像である。操作者が当該Back Spaceキーｄ２５の表示領域において接触操作を行い、この接触操作がタッチパネル部により検知されて検知信号が文字入力受付部１０６に出力されると、文字入力受付部１０６は、当該接触操作により指定された文字の入力受付を解除する。
【００７６】
文字種表示画像ｄ２６は、入力対象としている文字種を示す画像である。
【００７７】
当該構成でなる文字入力画面Ｄ２は、図５(Ａ)に示すように、表示部４７３のディスプレイにおける表示画面４７３０の全域に表示される。これにより、文字入力画面Ｄ２を構成する上記各画像ｄ２１〜ｄ２５の表示面積を大きく確保する。
【００７８】
当該文字入力画面Ｄ２が表示されている状態で、タッチパネル部が子音画像ｄ２２の表示領域における操作者による接触を検知すると(Ｓ４でＹＥＳ)、子音表示制御部１０３２は、次候補となる別の子音を示す子音画像ｄ２２を表示する(Ｓ５)。或いは、当該文字入力画面Ｄ２が表示されている状態で、タッチパネル部が母音画像ｄ２１の表示領域における操作者による接触を検知すると(Ｓ４でＹＥＳ)、母音表示制御部１０３１は、次候補となる別の母音を示す母音画像ｄ２１を表示する(Ｓ５)。
【００７９】
例えば、文字入力画面Ｄ２には、デフォルトの画面として図５(Ａ)のように、母音表示制御部１０３１及び子音表示制御部１０３２は、いずれの母音及び子音を示さない「−」がデフォルトで示されている母音画像ｄ２１及び子音画像ｄ２２を表示部４７３に表示させる。ここで、操作者が、表示部４７３の表示画面において子音画像ｄ２２の表示領域に接触する操作を1回行うと、当該接触はタッチパネル部により検知され、当該タッチパネル部からの検知信号に基づいて、子音表示制御部１０３２は、図５(Ｂ)に示すように、最初の子音候補としての子音「Ｋ」を示す子音画像ｄ２２Ｋを表示させる。
【００８０】
更に、表示されている子音画像ｄ２２Ｋの表示領域における操作者による接触がタッチパネル部に検知される度に、子音表示制御部１０３２は、次候補の子音画像である「Ｓ」を示す子音画像、「Ｔ」を示す子音画像、「Ｎ」を示す子音画像、「Ｈ」を示す子音画像、…を順次切り替えて表示部４７３に表示させる。操作者が所望の子音が表示された時点で当該操作を中断することで、表示部４７３に所望の子音を表示させておくことができる。なお、子音表示制御部１０３２は、最後の候補である「ＮＮ」を示す子音画像の表示後は、再度子音「Ｋ」を示す子音画像ｄ２２Ｋから表示を始める。
【００８１】
同様に、操作者が、図５(Ｂ)に示す子音を示さない「−」がデフォルトで示されている母音画像ｄ２１の表示領域に接触する操作を1回行うと、当該接触はタッチパネル部により検知され、当該タッチパネル部からの検知信号に基づいて、母音表示制御部１０３１は、図５(Ｃ)に示すように、最初の母音候補としての母音「ａ」を示す母音画像ｄ２１ａを表示部４７３に表示させる。
【００８２】
更に、表示されている母音画像ｄ２１ａの表示領域における操作者による接触がタッチパネル部に検知される度に、母音表示制御部１０３１は、次候補の母音である「ｉ」を示す母音画像、「ｕ」を示す母音画像、「ｅ」を示す母音画像、「ｏ」を示す母音画像を順次切り替えて表示部４７３に表示させる。なお、母音表示制御部１０３１は、「ｏ」を示す母音画像の表示後は、再度「ａ」を示す母音画像ｄ２１ａから表示を始める。操作者が所望の母音が表示された時点で当該接触操作を中断することで、表示部４７３に所望の母音を表示させておくことができる。
【００８３】
操作者により上記母音画像及び子音画像の表示領域における接触操作が繰り返され、表示部４７３に所望の母音を示す母音像及び子音を示す子音画像が表示された時点で(Ｓ６でＮＯ、更にＳ４でＹＥＳ、Ｓ５)、操作者が矢印キーｄ２３を接触操作し、この時点で表示部４７３に表示されている母音画像の示す母音及び子音画像の示す子音を指定する指示を指定受付部１０５が受け付けると(Ｓ６でＹＥＳ)、文字入力受付部１０６は、当該指定された母音及び子音で構成される仮名文字を特定し、当該特定した仮名文字の入力を受け付ける(Ｓ７)。受付文字表示制御部１０３３は、当該受け付けられた文字を文字入力画面Ｄ２における表示領域ａ１に表示させる(Ｓ８)。
【００８４】
なお、図示はしていないが、表示部４７３の表示が上述した初期状態の母音画像ｄ２１及び子音画像ｄ２２のままとされ、入力候補とする母音及び子音を示すそれぞれの母音画像及び子音画像が表示されていない場合は(Ｓ４でＮＯ，Ｓ５をスキップ)、指定受付部１０５は、操作者が矢印キーｄ２３を接触操作しても、母音及び子音を指定する指示は受け付けない。
【００８５】
例えば、操作者が仮名文字「き」を入力する場合の操作を説明する。図５(Ａ)に示すように、デフォルトの文字入力画面Ｄ２として、上記「−」を示す母音画像ｄ２１及び子音画像ｄ２２が表示されている状態で、操作者が子音画像ｄ２２の表示領域を1回接触操作すると、子音表示制御部１０３２は、図５(Ｂ)に示すように、「−」を示す子音画像ｄ２２を、「Ｋ」を示す子音画像ｄ２２Ｋに切り換えて表示させる。
【００８６】
そして、図５(Ｂ)に示す状態において、操作者が、「−」を示す母音画像ｄ２１の表示領域を1回接触操作すると、母音表示制御部１０３１は、図５(Ｃ)に示すように、「−」を示す母音画像ｄ２１を、「ａ」を示す母音画像ｄ２１ａに切り換えて表示させる。なお、表示制御部１０３は、この時点で表示されている母音画像ｄ２１ａ及び子音画像ｄ２２Ｋにより特定される仮名文字「か」を、未入力状態を示す下線画像と共に、表示領域ａ１に表示させる。例えば、この時点での母音画像ｄ２１ａ及び子音画像ｄ２２Ｋからの仮名文字の特定は、文字入力受付部１０６が行う。
【００８７】
さらに、操作者が、当該母音画像ｄ２１ａの表示領域をもう1回接触操作すると、母音表示制御部１０３１は、図５(Ｄ)に示すように、母音画像ｄ２１ａを、次候補の母音「ｉ」を示す母音画像ｄ２１ｉに切り換えて表示させる。なお、表示制御部１０３は、この時点で表示されている母音画像ｄ２１ｉ及び子音画像ｄ２２Ｋにより特定される仮名文字「き」を、未入力状態を示す下線画像と共に、表示領域ａ１に表示させる。
【００８８】
図５(Ｄ)に示す状態で、操作者が矢印キーｄ２３を接触操作し、この時点で表示部４７３に表示されている母音画像ｄ２１ｉの示す母音及び子音画像ｄ２２Ｋの示す子音を指定すると(Ｓ６)、文字入力受付部１０６に、当該指定された母音及び子音で構成される仮名文字「き」の入力が受け付けられる(Ｓ７)。このとき、受付文字表示制御部１０３３は、図５(Ｅ)に示すように、当該入力が受け付けられた仮名文字「き」を下線なしの状態で表示し、当該仮名文字「き」の入力が完了したことを表示する。すなわち、受付文字表示制御部１０３３は、当該下線無しでの表示により、文字入力受付部１０６に入力が受け付けられた仮名文字を表示領域ａ１に表示させる(Ｓ８)。このとき、母音表示制御部１０３１及び子音表示制御部１０３２は、デフォルトの文字入力画面Ｄ２と同様に、上記「−」を示す母音画像ｄ２１及び子音画像ｄ２２を表示させる。
【００８９】
ここで、操作者により矢印キーｄ２３の表示領域を２回連続で接触操作する等の操作が行われ、タッチパネル部により当該接触操作が検知されることで、この時点で表示領域ａ１に表示されている文字を確定して、文字入力を終了する旨の終了指示が入力されると(Ｓ９でＹＥＳ)、当該文字入力処理は終了する。
【００９０】
一方、上記終了指示が入力されない場合は(Ｓ９でＮＯ)、処理はＳ４に戻り、次の文字入力のためにＳ４以降の処理が繰り返される。
【００９１】
続いて、例えば、仮名文字でなる語句「きようせらみた」を入力する場合の操作を説明する。図６は、仮名文字でなる語句「きようせらみた」を入力する場合の操作の流れを示す図である。当該図６及び上記図５を参照して説明する。
【００９２】
まず、操作者は、(1)第1番目の仮名文字「き」を入力するために、図５(Ａ)に示す母音画像ｄ２１及び子音画像ｄ２２を必要回数だけ接触操作して、仮名文字「き」を構成する子音「Ｋ」及び母音「ｉ」を表示部４７３の文字入力画面Ｄ２に表示させ、(2)この表示がされている状態で矢印キーｄ２３を接触操作して当該子音「Ｋ」及び母音「ｉ」を指定して仮名文字「き」を入力する。
【００９３】
同様に、操作者は、語句「きようせらみた」の他の仮名文字「よ」「う」「せ」「ら」「み」「た」のそれぞれについて、母音画像ｄ２１及び子音画像ｄ２２を必要回数だけ接触操作して、所望の仮名文字を構成する子音及び母音を示すそれぞれの母音画像及び子音画像を表示部４７３の文字入力画面Ｄ２に表示させ、この表示がされている状態で矢印キーｄ２３を接触操作し、当該表示されている母音画像及び子音画像が示す子音及び母音により構成される仮名文字を入力する((3)〜(14))。
【００９４】
この後、操作者により上述した終了指示が入力されると、当該仮名文字でなる語句「きようせらみた」の文字入力が完了する。
【００９５】
このように、操作者は、入力したい文字を構成する母音の母音画像と子音の子音画像の両方を表示部４７３による表示で視認し、当該母音画像及び子音画像のそれぞれの表示を別個に切り換える操作を行い、所望の母音及び子音に対応する母音画像及び子音画像が表示された時点で、当該母音及び子音を指定する指示を指定受付部１０５に入力することで、所望の仮名文字を指定して入力することができる。
【００９６】
これにより、例えば、１つのキーに複数の仮名文字を割り当てて、当該キーの押下回数に応じて仮名文字を指定して入力する従来のキー入力と比べて、入力対象とする仮名文字を指定するために操作者に求められる操作手数が削減されるため、入力したい仮名文字を指定するために必要な操作が簡易になる。
【００９７】
また、上記入力処理では、入力の対象とする仮名文字の指定を受け付ける際、表示部４７３の表示画面４７３０には、仮名文字を特定するための母音画像及び子音画像を表示させるだけで、操作者が当該仮名文字を特定するための操作が可能である。このため、入力可能な各仮名文字を示す多くの文字ボタンを表示部の表示画面に表示させ、操作者により押下された文字ボタンに対応する仮名文字の入力を受け付ける従来のキー入力と比べて、表示部４７３の表示画面４７３０に配置を要する画像又はキーの数を減らすことができ、表示する各画像又はキーを大きく表示できるので、操作者は画像又はキーの操作を容易に行うことができる。例えば、図５(Ａ)〜(Ｅ)に示したように、文字入力画面Ｄ２は、母音画像ｄ２１、子音画像ｄ２２、矢印キーｄ２３、矢印キーｄ２４、Back Spaceキーｄ２５、及び文字種表示画像ｄ２６を有していれば足り、特に、仮名文字を特定するためには、母音画像ｄ２１、子音画像ｄ２２、及び矢印キーｄ２３を有していれば足りるため、これら各画像を表示部４７３の表示画面に大きく表示することが可能になる。
【００９８】
次に、画像形成装置１による文字編集処理の第１実施形態を説明する。図７は画像形成装置１による文字編集処理の第１実施形態を示すフローチャートである。図８は仮名文字でなる語句「きようせらみた」を編集する場合の操作の流れを示す図である。図９は表示部４７３の表示画面の一例を示す図である。
【００９９】
上記文字入力処理により仮名文字が入力され、上記入力が受け付けられた各仮名文字が表示部４７３の表示領域ａ１に表示されているときに(図３のＳ８，図９)、例えば、操作者により矢印キーｄ２４が接触操作されて、タッチパネル部により当該接触操作が検知され、編集文字受付部１０８が当該検知信号を編集対象とする文字を指定する指示として受信すると(Ｓ１２でＹＥＳ)、母音表示制御部１０３１が、当該指定された仮名文字を構成する母音を示す母音画像を表示部４７３に表示させ、子音表示制御部１０３２が、当該指定された仮名文字を構成する子音を示す子音画像を表示部４７３に表示させる(Ｓ１３)。そして、この後は、図４に示した文字入力処理におけるＳ４〜Ｓ９の処理が行われる。但し、この編集処理においては、母音表示制御部１０３１及び子音表示制御部１０３２は、上記編集後の仮名文字の入力が受け付けられた後、当該編集が行われた文字の次に入力が受けられている入力済み文字を編集対象文字として、その母音及び子音を示すそれぞれの母音画像及び子音画像を表示させる。
【０１００】
この編集処理時における操作者による操作の例を、図８を用いて説明する。例えば、(i)語句「きようせらみた」の各仮名文字が入力され、図９に示す文字入力画面Ｄ３が表示されている状態で、(ii)操作者が矢印キーｄ２４を1度接触操作すると、編集対象として、当該各仮名文字のうち、最終文字から第1番目(すなわち、最終文字)の仮名文字「た」の文字を指定する指示が編集文字受付部１０８に受け付けられる。このとき、図８(1)に示すように、子音表示制御部１０３２は、子音「Ｔ」を示す子音画像を表示させ、母音表示制御部１０３１は、母音「ａ」を示す母音画像を表示させる。このとき、表示制御部１０３は、表示領域ａ１に、語句「きょうせらみた」の編集対象となっている「た」の部分に下線を表示させて、当該「た」の文字が編集対象となっていることを表示する(図８(2))。この状態で、図４に示したＳ４〜Ｓ９の処理に移行することで、仮名文字「た」を他の文字に変更する文字入力処理を行う。
【０１０１】
また、「た」の文字が編集対象となっている上記(ii)の状態から、(iii)操作者が矢印キーｄ２４を更に1度接触操作すると、最終文字から第2番目の仮名文字「み」の文字を指定する指示が編集文字受付部１０８に受け付けられる。このとき、子音表示制御部１０３２は、子音「Ｍ」を示す子音画像を表示させ、母音表示制御部１０３１は、母音「ｉ」を示す母音画像を表示させる。このとき、表示制御部１０３は、表示領域ａ１に、語句「きょうせらみた」の編集対象となっている「み」の部分に下線を表示させて、当該「み」の文字が編集対象となっていることを表示する(図８(3))。この状態で、図４に示したＳ４〜Ｓ９の処理に移行することで、仮名文字「み」を他の文字に変更する文字入力処理を行う。
【０１０２】
同様に、操作者が矢印キーｄ２４を接触操作する度に、語句「きょうせらみた」の最終文字から先頭文字に向かう方向に1文字ずつ移動させて、編集対象とされる仮名文字を指定する指示が編集文字受付部１０８に受け付けられる((iv))。
【０１０３】
ここで、語句「きょうせらみた」の「ら」の仮名文字が編集対象として受け付けられている場合(図８(4))、(v)操作者が、当該仮名文字「ら」を仮名文字「た」に訂正して入力するために、仮名文字「ら」を構成する子音を示す子音画像「Ｒ」の表示領域を必要回数だけ接触操作して、仮名文字「た」を構成する子音「Ｔ」を子音表示制御部１０３２に表示させ、(vi)操作者が、矢印キーｄ２３を接触操作すると、この時点で表示されている子音「Ｔ」及び母音「ａ」を指定する指示が指定受付部１０５に受け付けられ、文字入力受付部１０６には仮名文字「た」の入力が受け付けられる。なお、この入力受付後、表示制御部１０３は、編集対象とする文字を、先頭文字から最終文字に向かう方向に1文字移動させて、新たに編集対象となった仮名文字「み」の部分に下線画像を表示させる。
【０１０４】
この編集処理によれば、操作者は、一旦入力した仮名文字を訂正又は変更する編集を行うとき、例えば、当該母音画像及び子音画像のうち、訂正が必要な方のみを、訂正のための接触操作を行えば足りる場合も生じる。上記のように、誤入力の仮名文字「ら」を仮名文字「た」に訂正する場合は、子音を「Ｒ」から「Ｔ」に変更する操作をすれば足り、母音についての操作は不要である。これにより、従来は、一旦入力した仮名文字を訂正する際の操作は、入力した仮名文字を消去して再度入力をし直す作業になっていたが、この編集処理によれば、当該仮名文字を構成する母音及び子音のうち、訂正が必要な方のみを訂正又は変更する操作で済ませることが可能である。このため、従来の操作よりも操作手数を削減して操作者の操作性を更に向上させることができる。
【０１０５】
なお、上記実施形態では、編集対象とする仮名文字の指定は、入力されている仮名文字のうち、入力が受け付けられた最終文字から先頭文字に向かう順に遡って指定されるが、これに代えて、先頭文字から最終文字に向かう順に編集対象とする文字が指定されるものとしてもよい。
【０１０６】
次に、画像形成装置１による文字編集処理の第２実施形態を説明する。図１０は画像形成装置１による文字編集処理の第２実施形態を示すフローチャートである。図１１は表示部４７３の表示画面の一例を示す図である。
【０１０７】
図３に示した上記文字入力処理により仮名文字が入力され、上記入力が受け付けられた各仮名文字が表示部４７３の表示領域ａ１に表示されているときに(図３のＳ８，図９)、例えば、操作者により矢印キーｄ２４が接触操作されて、タッチパネル部により当該接触操作が検知され、当該検知信号が編集指示として編集受付部１０９に受け付けられると(Ｓ３２でＹＥＳ)、入力が受け付けられている仮名文字でなる語句、例えば「きようせらみた」について、最初に入力が受け付けられた文字から最後に入力が受け付けられた文字に向かう順で、予め定められた文字数分の仮名文字毎に、当該各仮名文字を構成するそれぞれの母音に対応する母音画像を母音表示制御部１０３１が表示部４７３に表示させ、それぞれの子音に対応する子音画像を子音表示制御部１０３２が表示部４７３に表示させる(Ｓ３３)。
【０１０８】
例えば、編集受付部１０９に編集指示が受け付けられると、母音表示制御部１０３１及び子音表示制御部１０３２は、上記予め定められた文字数を2文字として、図１１(Ａ)に示すように、語句「きようせらみた」の最初に入力が受け付けられた文字から2文字分の「き」「よ」の各仮名文字を構成するそれぞれの母音に対応する母音画像ｄ２１を表示させ、それぞれの子音に対応する子音画像ｄ２２を有する文字入力画面Ｄ３１を表示させる。表示制御部１０３は、この文字入力画面Ｄ３１において、編集対象とされる各仮名文字を示す画像「き」を表示領域ａ３１に表示させ、画像「よ」を表示領域ａ３２に表示させる。また、表示制御部１０３は、文字入力画面Ｄ３１に、編集対象とされる次の仮名文字に表示を切り換える表示切換指示を操作者から受け付けるための矢印ボタンｄ３３を表示させる。
【０１０９】
このような文字入力画面Ｄ３１が表示されている状態で、操作者が、矢印ボタンｄ３３の表示領域において接触操作を行い、タッチパネル部が当該接触操作を検知すると、タッチパネル部からの検知信号を表示制御部１０３が表示切換指示として受け付け(Ｓ３４でＹＥＳ)、表示制御部１０３は、次に編集対象とされる仮名文字が存在するか否かを判断し(Ｓ４２)、次に編集対象とされる仮名文字が存在する場合には(Ｓ４２でＹＥＳ)、表示制御部１０３は、編集対象とされる予め定められた文字数分の仮名文字の母音及び子音を表示する文字入力画面に表示を切り換える(Ｓ４３)。この後も処理は、Ｓ３５に移行する。
【０１１０】
なお、次に編集対象として表示する仮名文字が存在しない場合には(Ｓ４２でＮＯ)、処理はＳ３３に戻り、表示制御部１０３が、入力されている仮名文字でなる語句の最初の文字から予め定められた文字数分の仮名文字についての母音及び子音を示す母音画像ｄ２１及び子音画像ｄ２２を表示する文字入力画面Ｄ３１を表示させる。
【０１１１】
また、文字入力画面Ｄ３１が表示されている状態で、上記表示切換指示が表示制御部１０３に受け付けられない場合であって(Ｓ３４でＮＯ)、タッチパネル部が子音画像ｄ２２の表示領域における操作者による接触を検知すると(Ｓ３５でＹＥＳ)、子音表示制御部１０３２は、次候補となる別の子音を示す子音画像ｄ２２を表示する(Ｓ３６)。或いは、当該文字入力画面Ｄ３１が表示されている状態で、タッチパネル部が母音画像の表示領域における操作者による接触を検知すると(Ｓ３５でＹＥＳ)、母音表示制御部１０３１は、次候補となる別の母音を示す母音画像ｄ２１を表示する(Ｓ３６)。このＳ３５及びＳ３６の処理は、例えば、文字入力画面Ｄ３１に編集対象として表示されている各仮名文字「き」「よ」のそれぞれの母音画像ｄ２１及び子音画像ｄ２２について行われる。なお、当該Ｓ３５及びＳ３６は、図４に示したＳ４及びＳ５と同様の処理である。
【０１１２】
この表示状態において、操作者により上記母音画像ｄ２１及び子音画像ｄ２２の表示領域における接触操作が繰り返され、表示部４７３に所望の母音を示す母音画像ｄ２１及び子音を示す子音画像ｄ２２が表示された時点で(Ｓ３７でＮＯ、更にＳ３５でＹＥＳ、Ｓ３６)、操作者が矢印キーｄ３３を接触操作し、この時点で表示部４７３に表示されている母音画像ｄ２１の示す母音及び子音画像ｄ２２の示す子音を指定する指示を指定受付部１０５が受け付けると(Ｓ３７でＹＥＳ)、文字入力受付部１０６は、当該指定された母音及び子音で構成される仮名文字(本実施形態では、表示されている2文字分)を特定し、当該特定した仮名文字の入力を受け付ける(Ｓ３８)。なお、受付文字表示制御部１０３３は、Ｓ３５の処理で示される各仮名文字を逐次に文字入力画面Ｄ３１における表示領域ａ３１，ａ３２に表示させておく(Ｓ３９)。
【０１１３】
上記Ｓ３８における仮名文字の入力受付後、表示制御部１０３は、図１１(Ｂ)に示す文字入力画面Ｄ３２を表示部４７３に表示させ、母音表示制御部１３１は、次に編集対象として表示する次の2文字として、既に表示した「き」「よ」の各仮名文字に続く「う」「せ」を構成するそれぞれの母音に対応する母音画像ｄ２１を表示させ、子音表示制御部１０３２は、それぞれの子音に対応する子音画像ｄ２２を有する文字入力画面Ｄ３１を表示させる(Ｓ４０)。表示制御部１０３は、この文字入力画面Ｄ３２において、編集対象とされる各仮名文字を示す画像「う」を表示領域ａ３１に表示させ、画像「せ」を表示領域ａ３２に表示させる。表示制御部１０３は、文字入力画面Ｄ３２でも、編集対象とされる次の仮名文字に表示を切り換える表示切換指示を操作者から受け付けるための矢印ボタンｄ３３を表示させる。但し、この場合、次に編集対象として表示すべき文字が存在しないときは、最初に入力が受け付けられた文字から最後に入力が受け付けられた文字に向かう順で、2文字分(予め定められた文字数分)の仮名文字についての母音画像ｄ２１及び子音画像ｄ２２を母音表示制御部１０３１及び子音表示制御部１０３２が表示部４７３に表示させる。
【０１１４】
ここで、操作者により矢印キーｄ２３の表示領域を２回連続で接触操作する等の操作が行われて、タッチパネル部が当該接触操作を検知し、この時点で表示領域ａ３１，ａ３２に表示されている文字を確定して、文字入力を終了する旨の終了指示が入力されると(Ｓ４１でＹＥＳ)、当該文字入力処理は終了する。
【０１１５】
一方、上記終了指示が入力されない場合は(Ｓ４１でＮＯ)、処理はＳ３４に戻り、次に編集対象となる仮名文字の訂正又は変更のために、Ｓ３４以降の処理が繰り返される。
【０１１６】
上記処理においては、Ｓ３４における表示画面切換指示と、Ｓ４０による新たな編集対象文字の文字入力画面の表示とにより、文字入力画面が、別の文字を編集対象とする文字入力画面に変更される。このように別の文字を編集対象とする文字入力画面に表示部４７３の表示画面を変更して、Ｓ３５〜Ｓ４０の処理を行うことで、既に入力済みの各仮名文字のそれぞれの文字を訂正又は変更することが可能である。例えば、上記処理では、最初に、図１１(Ａ)に示すように、入力済みの仮名文字からなる語句「きようせらみた」の最初の2文字の仮名文字「き」「よ」について、それぞれの母音及び子音を示す母音画像ｄ２１及び子音画像ｄ２２を有する文字入力画面Ｄ３１が表示され、以降、操作者による操作に伴って、語句「きようせらみた」の次の2文字の仮名文字「う」「せ」についてのそれぞれの母音画像ｄ２１及び子音画像ｄ２２を有する文字入力画面Ｄ３２(図１１(Ｂ))、語句「きようせらみた」の更に次の2文字の仮名文字「ら」「み」についてのそれぞれの母音画像ｄ２１及び子音画像ｄ２２を有する文字入力画面Ｄ３３(図１１(Ｃ))、語句「きようせらみた」の更に次の2文字の仮名文字「た」についての母音画像ｄ２１及び子音画像ｄ２２を有する文字入力画面Ｄ３４(図１１(Ｄ))が順次表示される。各文字入力画面の表示時に、操作者がＳ３５〜Ｓ４０の処理に対応する操作を行うことで、入力済みの語句「きようせらみた」の各仮名文字を編集可能とする。
【０１１７】
なお、各文字入力画面Ｄ３１〜Ｄ３４においては、表示制御部１０３は、更に、編集対象とされていた以前の仮名文字に表示を切り換える表示切換指示を操作者から受け付けるための矢印キーｄ３４を更に表示させ、操作者が、矢印ボタンｄ３４の表示領域において接触操作を行い、タッチパネル部が当該接触操作を検知すると、母音表示制御部１０３１及び子音表示制御部１０３２に当該表示切換指示が受け付けられ、母音表示制御部１０３１及び子音表示制御部１０３２は、この表示切換指示の受付時よりも以前に編集対象とされた仮名文字が存在するか否かを判断して、前に編集対象とされる仮名文字が存在する場合には、編集対象とされる予め定められた文字数分(本実施形態では2文字分)の仮名文字の母音及び子音を表示するそれぞれの母音画像ｄ２１及び子音画像ｄ２２を表示部４７３に表示させるようにしてもよい。
【０１１８】
この場合に、編集対象とされていた以前の仮名文字が存在しない場合には、母音表示制御部１０３１及び子音表示制御部１０３２は、入力が受け付けられている仮名文字からなる語句の最終文字から、予め定められた文字数分の仮名文字について、当該仮名文字を構成する母音及び子音を示すそれぞれの母音画像及ｄ３１及び子音画像ｄ２２を表示部４７３に表示する。
【０１１９】
また、各文字入力画面Ｄ３１〜Ｄ３４においては、表示制御部１０３は、更に、仮名文字を追加入力する指示を受け付けるための追加ボタンｄ３５、入力済みの仮名文字を削除する指示を受け付けるための削除ボタンｄ３６を表示させ、例えば、図１１(Ａ)に示す文字入力画面Ｄ３１において、操作者が、追加ボタンｄ３５の表示領域において接触操作を行い、タッチパネル部が当該接触操作を検知すると、表示制御部１０３に当該文字追加指示が受け付けられ、表示制御部１０３は、当該追加ボタンｄ３５が配されている仮名文字の前に、1文字追加して入力するための文字入力画面Ｄ３５を表示する(図１２)。この文字入力画面Ｄ３５の表示時に、操作者による操作に応じてＳ３５〜Ｓ３９の処理を行うことで、入力済みの仮名文字からなる語句「きようせらみた」の前後又は各文字間に、新たな文字を追加しての文字入力を可能にする。
【０１２０】
また、操作者が、削除ボタンｄ３６の表示領域において接触操作を行い、タッチパネル部が当該接触操作を検知すると、文字入力受付部１０６に当該文字を削除する削除指示が受け付けられ、文字入力受付部１０６は、当該削除ボタンｄ３６が配されている仮名文字を削除する。これにより、入力済みの仮名文字からなる語句「きようせらみた」から、不要となった文字を簡単な操作で削除することを可能にする。
【０１２１】
この編集処理の第２実施形態によれば、上述した第１実施形態と同様の効果が得られることに加えて、操作者は、編集の対象とする文字を文字単位で指定する操作を行わなくても、各仮名文字の母音及び子音に対応するそれぞれの母音画像及び子音画像が表示部４７３の表示画面４７３０に順次切り換わって表示されるため、操作者は、訂正又は変更の対象とする仮名文字を示す母音画像及び子音画像に簡単にアクセスすることができる。
【０１２２】
なお、本発明は上記実施の形態の構成に限られず種々の変形が可能である。例えば、上記実施形態では、図３に示したＳ３において、文字入力画面Ｄ２には、デフォルトの画面として図５(Ａ)(Ｂ)のように、母音表示制御部１０３１及び子音表示制御部１０３２は、いずれの母音及び子音を示さない「−」がデフォルトで示されている母音画像ｄ２１及び子音画像ｄ２２を表示部４７３に表示させ、操作者が、表示部４７３の表示画面において母音画像ｄ２１の表示領域に接触する操作を1回行うと、母音表示制御部１０３１は、図５(Ｃ)に示すように、最初の母音候補としての母音「ａ」を示す母音画像ｄ２１ａを表示させるが、例えば、操作者により、先に子音画像ｄ２２の表示領域に接触する操作が行われ、子音表示制御部１０３２が、図１３(Ａ)に文字入力画面Ｄ３６として示すように、最初の子音候補としての子音「Ｋ」を示す子音画像ｄ２２Ｋを表示させるとき、母音表示制御部１０３１が最初の母音候補としての母音「ａ」を示す母音画像ｄ２１ａを、操作者による上記接触操作によらずに表示させるようにしてもよい。この文字入力画面Ｄ３６において、操作者が母音画像ｄ２１ａの表示領域における接触操作を行うことにより、例えば図１３(Ｂ)に文字入力画面Ｄ３７として示すように、母音表示制御部１０３１に第2番目の母音候補である母音「ｉ」の母音画像ｄ２１ｉを表示させる場合に、この母音画像ｄ２１ｉを表示させるために必要な操作が削減される。すなわち、子音を指定する場合は、必ず母音を指定するための操作が必要になるため、このように母音表示制御部１０３１が最初の母音候補としての母音を示す母音画像を予め表示させることで、操作者による母音画像に対する操作が削減される。
【０１２３】
また、上記の文字入力処理では、小文字の仮名文字、英字、数字、記号の入力も可能とされている。例えば、小文字の仮名文字の入力を受け付ける場合には、表示制御部１０３は、図１４(Ａ)に示す文字入力画面Ｄ５において、文字種画像ｄ５０として「小ひらがな」を表示させ、小文字を受け付けるための小文字画像ｄ５１を表示させ、当該小文字画像ｄ５１の表示領域に接触する操作を1回行うと、表示制御部１０３は、次の入力候補としての小文字を順次切り換えて、当該小文字画像ｄ５１に表示させる。操作者が所望の小文字が表示された時点で、矢印キーｄ２３を接触操作すると、タッチパネル部からの当該接触操作の検知信号に従って、文字入力受付部１０６が当該指定された小文字の入力を受け付ける。
【０１２４】
また、例えば、英字の入力を受け付ける場合には、表示制御部１０３は、図１４(Ｂ)に示す文字入力画面Ｄ６において、文字種画像ｄ６０として「英字」を表示させ、大文字又は小文字の切換指示を受け付けるための切換受付画像ｄ６１，英字の入力を受け付けるための英字画像ｄ６２を表示させる。操作者が英字画像ｄ６２の表示領域に接触する操作を1回行うと、タッチパネル部からの当該接触操作の検知信号に従って、表示制御部１０３は、次の入力候補としての英字を順次切り換えて、当該英字画像ｄ６２に表示させる。また、操作者が切換受付画像ｄ６１の表示領域に接触する操作を1回行うと、文字入力受付部１０６に、大文字小文字の切換指示が受け付けられる。操作者は、所望の英字が表示され、所望の文字形式(大文字又は小文字)が表示させた時点で、矢印キーｄ２３を接触操作すると、文字入力受付部１０６が当該文字形式からなる英字の入力を受け付ける。
【０１２５】
また、例えば、数字の入力を受け付ける場合には、表示制御部１０３は、図１４(Ｃ)に示す文字入力画面Ｄ７において、文字種画像ｄ７０として「数字」を表示させ、数字の入力を受け付けるための数字画像ｄ７１を表示させ、操作者が当該数字画像ｄ７１の表示領域に接触する操作を1回行うと、表示制御部１０３は、次の入力候補としての数字を順次切り換えて、当該数字画像ｄ７１に表示させる。操作者は、所望の数字が表示された時点で、矢印キーｄ２３を接触操作すると、文字入力受付部１０６が当該表示されている数字の入力を受け付ける。
【０１２６】
また、例えば、記号の入力を受け付ける場合には、表示制御部１０３は、図１４(Ｄ)に示す文字入力画面Ｄ８において、文字種画像ｄ８０として「記号」を表示させ、記号の入力を受け付けるための記号画像ｄ８１を表示させ、操作者が当該記号画像ｄ８１の表示領域に接触する操作を1回行うと、表示制御部１０３は、次の入力候補としての記号を順次切り換えて、当該記号画像ｄ８１に表示させる。操作者は、所望の記号が表示された時点で、矢印キーｄ２３を接触操作すると、文字入力受付部１０６が当該表示されている記号の入力を受け付ける。
【０１２７】
また、例えば、上記実施形態では、本発明に係る画像形成装置を複合機として説明しているが、本発明に係る画像形成装置はこれに限定されない。例えば、本発明に係る画像形成装置は、コピー機、ファクシミリ装置、スキャナー装置等であっても構わない。
【０１２８】
なお、図１乃至図１４を用いて上記各実施形態により示した構成及び処理は、本発明の一実施形態に過ぎず、本発明を当該構成及び処理に限定する趣旨ではない。
【符号の説明】
【０１２９】
１        画像形成装置
１０      制御ユニット
１００    制御部
１０２    接触検知部
１０３    表示制御部
１０３１  母音表示制御部
１０３２  子音表示制御部
１０３３  受付文字表示制御部
１０５    指定受付部
１０６    文字入力受付部
１０７    受付文字表示制御部
１０８    編集文字受付部
１０９    編集受付部
４７      操作部
４７３    表示部
４７３０  表示画面
【図１】
0005593300.tif 000002
【図２】
0005593300.tif 000003
【図３】
0005593300.tif 000004
【図４】
0005593300.tif 000005
【図５】
0005593300.tif 000006
【図６】
0005593300.tif 000007
【図７】
0005593300.tif 000008
【図８】
0005593300.tif 000009
【図９】
0005593300.tif 000010
【図１０】
0005593300.tif 000011
【図１１】
0005593300.tif 000012
【図１２】
0005593300.tif 000013
【図１３】
0005593300.tif 000014
【図１４】
0005593300.tif 000015